(57)【特許請求の範囲】
【請求項１】
スライド方向に対して垂直に突出するスライド軸を有する操作部材と、
電子機器の外装カバーに取り付けられ、前記スライド軸が挿通される穴部と凸部とが形成されるベース部材と、
前記スライド軸の中心を通って前記スライド方向に延びる線上に配置され、前記操作部材と一体に移動して、前記凸部を乗り越えることでクリック力を発生する、弾性変形が可能なクリック力発生部と、
前記操作部材と一体に移動可能とされ、前記スライド方向と直交する前記ベース部材の幅方向に前記クリック力発生部を間に挟むように配置される２つの接片部と、
前記２つの接片部の前記スライド方向の接触位置を検知するための信号パターンを有する基板と、を備え、
前記基板は、前記信号パターンが前記ベース部材に対向し、前記凸部が前記基板で覆われるように、前記ベース部材に固定されており、
前記基板が前記ベース部材に固定されることにより、前記基板と前記ベース部材との間に、前記クリック力発生部、及び前記２つの接片部を、前記スライド方向に移動可能に収納する収納空間が形成されており、
前記収納空間において、前記クリック力発生部と前記２つの接片部の一方の接片部とが第１の仕切り壁により仕切られ、前記クリック力発生部と他方の接片部とが第２の仕切り壁により仕切られていることを特徴とするスライドスイッチ。
【請求項２】
前記操作部材に固定され、前記クリック力発生部が形成されるクリック力発生部材と、前記操作部材に固定され、前記２つの接片部が形成される接片部材と、をさらに備えることを特徴とする請求項１に記載のスライドスイッチ。
【請求項３】
前記クリック力発生部、及び前記２つの接片部が同一の部材に形成されることを特徴とする請求項１に記載のスライドスイッチ。
【請求項４】
前記クリック力発生部と前記凸部との間に配置された潤滑剤をさらに備えることを特徴とする請求項１乃至３のいずれか１項に記載のスライドスイッチ。
【請求項５】
スライドスイッチと、前記スライドスイッチの操作位置によって前記電子機器の動作を切り換える制御を行う制御部と、を備える電子機器であって、
前記スライドスイッチは、
スライド方向に対して垂直に突出するスライド軸を有する操作部材と、
電子機器の外装カバーに取り付けられ、前記スライド軸が挿通される穴部と凸部とが形成されるベース部材と、
前記スライド軸の中心を通って前記スライド方向に延びる線上に配置され、前記操作部材と一体に移動して、前記凸部を乗り越えることでクリック力を発生する、弾性変形が可能なクリック力発生部と、
前記操作部材と一体に移動可能とされ、前記スライド方向と直交する前記ベース部材の幅方向に前記クリック力発生部を間に挟むように配置される２つの接片部と、
前記２つの接片部の前記スライド方向の接触位置を検知するための信号パターンを有する基板と、を備え、
前記基板は、前記信号パターンが前記ベース部材に対向し、前記凸部が前記基板で覆われるように、前記ベース部材に固定されており、
前記基板が前記ベース部材に固定されることにより、前記基板と前記ベース部材との間に、前記クリック力発生部、及び前記２つの接片部を、前記スライド方向に移動可能に収納する収納空間が形成されており、
前記収納空間において、前記クリック力発生部と前記２つの接片部の一方の接片部とが第１の仕切り壁により仕切られ、前記クリック力発生部と他方の接片部とが第２の仕切り壁により仕切られていることを特徴とする電子機器。
【請求項６】
前記操作部材に固定され、前記クリック力発生部が形成されるクリック力発生部材と、前記操作部材に固定され、前記２つの接片部が形成される接片部材と、をさらに備えることを特徴とする請求項５に記載の電子機器。
【請求項７】
前記クリック力発生部、及び前記２つの接片部が同一の部材に形成されることを特徴とする請求項５に記載の電子機器。
【請求項８】
前記クリック力発生部と前記凸部との間に配置された潤滑剤をさらに備えることを特徴とする請求項５乃至７のいずれか１項に記載の電子機器。
【請求項９】
スライド方向に対して垂直に突出するスライド軸を有する操作部材と、
電子機器の外装カバーに取り付けられ、前記スライド軸が挿通される穴部、第１の凹部、前記第１の凹部内に配置される凸部、前記第１の凹部を間に挟むように配置される２つの第２の凹部が形成されるベース部材と、
前記スライド軸の中心を通って前記スライド方向に延びる線上に配置され、前記操作部材と一体に移動して、前記凸部を乗り越えることでクリック力を発生する、弾性変形が可能なクリック力発生部と、
前記操作部材と一体に移動可能とされ、前記スライド方向と直交する前記ベース部材の幅方向に前記クリック力発生部を間に挟むように配置される２つの接片部と、前記２つの接片部の前記スライド方向の接触位置を検知するための信号パターンを有する基板と、を備え、
前記基板は、前記信号パターンが前記ベース部材に対向し、前記第１の凹部と前記２つの第２の凹部とが前記基板で覆われるように、前記ベース部材に固定されており、
前記基板が前記ベース部材に固定されることにより、前記基板と前記第１の凹部との間に、前記クリック力発生部が前記スライド方向に移動可能に収納され、前記基板と前記２つの第２の凹部の一方の第２の凹部との間に、前記２つの接片部の一方の接片部が前記スライド方向に移動可能に収納され、前記基板と前記２つの第２の凹部の他方の第２の凹部との間に、前記２つの接片部の他方の接片部が前記スライド方向に移動可能に収納されており、
前記第１の凹部と前記２つの第２の凹部との間は、仕切り壁により互いに仕切られていることを特徴とするスライドスイッチ。
【請求項１０】
前記操作部材に固定され、前記クリック力発生部が形成されるクリック力発生部材と、前記操作部材に固定され、前記２つの接片部が形成される接片部材と、をさらに備えることを特徴とする請求項９に記載のスライドスイッチ。
【請求項１１】
前記クリック力発生部、及び前記２つの接片部が同一の部材に形成されることを特徴とする請求項９に記載のスライドスイッチ。
【請求項１２】
前記クリック力発生部と前記凸部との間に配置された潤滑剤をさらに備えることを特徴とする請求項９乃至１１のいずれか１項に記載のスライドスイッチ。
【請求項１３】
スライドスイッチと、前記スライドスイッチの操作位置によって前記電子機器の動作を切り換える制御を行う制御部と、を備える電子機器であって、
前記スライドスイッチは、
スライド方向に対して垂直に突出するスライド軸を有する操作部材と、
電子機器の外装カバーに取り付けられ、前記スライド軸が挿通される穴部、第１の凹部、前記第１の凹部内に配置される凸部、前記第１の凹部を間に挟むように配置される２つの第２の凹部が形成されるベース部材と、
前記スライド軸の中心を通って前記スライド方向に延びる線上に配置され、前記操作部材と一体に移動して、前記凸部を乗り越えることでクリック力を発生する、弾性変形が可能なクリック力発生部と、
前記操作部材と一体に移動可能とされ、前記スライド方向と直交する前記ベース部材の幅方向に前記クリック力発生部を間に挟むように配置される２つの接片部と、前記２つの接片部の前記スライド方向の接触位置を検知するための信号パターンを有する基板と、を備え、
前記基板は、前記信号パターンが前記ベース部材に対向し、前記第１の凹部と前記２つの第２の凹部とが前記基板で覆われるように、前記ベース部材に固定されており、
前記基板が前記ベース部材に固定されることにより、前記基板と前記第１の凹部との間に、前記クリック力発生部が前記スライド方向に移動可能に収納され、前記基板と前記２つの第２の凹部の一方の第２の凹部との間に、前記２つの接片部の一方の接片部が前記スライド方向に移動可能に収納され、前記基板と前記２つの第２の凹部の他方の第２の凹部との間に、前記２つの接片部の他方の接片部が前記スライド方向に移動可能に収納されており、
前記第１の凹部と前記２つの第２の凹部との間は、仕切り壁により互いに仕切られていることを特徴とする電子機器。
【請求項１４】
前記操作部材に固定され、前記クリック力発生部が形成されるクリック力発生部材と、前記操作部材に固定され、前記２つの接片部が形成される接片部材と、をさらに備えることを特徴とする請求項１３に記載の電子機器。
【請求項１５】
前記クリック力発生部、及び前記２つの接片部が同一の部材に形成されることを特徴とする請求項１３に記載の電子機器。
【請求項１６】
前記クリック力発生部と前記凸部との間に配置された潤滑剤をさらに備えることを特徴とする請求項１３乃至１５のいずれか１項に記載の電子機器。
【発明の詳細な説明】
【技術分野】
【０００１】
本発明は、デジタルカメラ等の電子機器に用いられるスライドスイッチ、及びスライドスイッチを備える電子機器に関する。
【背景技術】
【０００２】
デジタルカメラ等の電子機器に用いられるスライドスイッチとしては、スライドレバーと、スライドレバーのスライド操作時にユーザにクリック感を付与するクリック部（クリック力発生部）と、スライドレバーのスライド操作位置を検知するための接片部とを備えるものがある。
【０００３】
このようなスライドスイッチでは、クリック部で発生した潤滑油を含むゴミ等が接片部に付着しないようにして、スライドレバーのスライド操作位置の誤検知を防止する技術が開示されている（特許文献１）。
【０００４】
また、スライドレバーのスライド方向に対して平行にクリック部を配置することで、スライド操作時におけるスライドレバーのクリック感がスライド方向に沿う方向に付与されるようにして、操作性を改善した技術が提案されている（特許文献２）。
【先行技術文献】
【特許文献】
【０００５】
【特許文献１】特開２００５−２６７９２９号公報
【特許文献２】特開平０５−０３４７７５号公報
【発明の概要】
【発明が解決しようとする課題】
【０００６】
しかし、上記特許文献１では、複数の接片部のそれぞれで発生したゴミ等が隣接する接片部に付着して、接片部と信号パターンとの接触不良が発生するおそれがあり、スライドレバーのスライド操作位置の検知精度を低下させる原因になる。
【０００７】
また、上記特許文献２では、スイッチレバーやケース、半田付け端子等をユニット化したスイッチユニットが必要となるため、スライドスイッチの部品点数や取付スペースが増加する。
【０００８】
また、上記特許文献２では、クリック部をスライドレバーのスライド方向に対して平行に配置しているので、スライド操作時のクリック力の反力によりスライドレバーが回転方向に付勢される。このため、スライドレバーのスライド操作時にクリック感が付与されるユーザに違和感を与えてしまい、スライドレバーの操作性が低下する。
【０００９】
そこで、本発明は、スライドスイッチの部品点数や取付スペースを増加させることなく、スライドレバーのスライド操作位置の検知精度、及びスライドレバーの操作性を向上させることができるスライドスイッチ、及びスライドスイッチを備える電子機器を提供することを目的とする。
【課題を解決するための手段】
【００１０】
上記目的を達成するために、本発明のスライドスイッチは、スライド方向に対して垂直に突出するスライド軸を有する操作部材と、電子機器の外装カバーに取り付けられ、前記スライド軸が挿通される穴部と凸部とが形成されるベース部材と、前記スライド軸の中心を通って前記スライド方向に延びる線上に配置され、前記操作部材と一体に移動して、前記凸部を乗り越えることでクリック力を発生する、弾性変形が可能なクリック力発生部と、前記操作部材と一体に移動可能とされ、前記スライド方向と直交する前記ベース部材の幅方向に前記クリック力発生部を間に挟むように配置される２つの接片部と、前記２つの接片部の前記スライド方向の接触位置を検知するための信号パターンを有する基板と、を備え、前記基板は、前記信号パターンが前記ベース部材に対向し、前記凸部が前記基板で覆われるように、前記ベース部材に固定されており、前記基板が前記ベース部材に固定されることにより、前記基板と前記ベース部材との間に、前記クリック力発生部、及び前記２つの接片部を、前記スライド方向に移動可能に収納する収納空間が形成されており、前記収納空間において、前記クリック力発生部と前記２つの接片部の一方の接片部とが第１の仕切り壁により仕切られ、前記クリック力発生部と他方の接片部とが第２の仕切り壁により仕切られていることを特徴とする。
また、上記目的を達成するために、本発明の電子機器は、スライドスイッチと、前記スライドスイッチの操作位置によって前記電子機器の動作を切り換える制御を行う制御部と、を備える電子機器であって、前記スライドスイッチは、スライド方向に対して垂直に突出するスライド軸を有する操作部材と、電子機器の外装カバーに取り付けられ、前記スライド軸が挿通される穴部と凸部とが形成されるベース部材と、前記スライド軸の中心を通って前記スライド方向に延びる線上に配置され、前記操作部材と一体に移動して、前記凸部を乗り越えることでクリック力を発生する、弾性変形が可能なクリック力発生部と、前記操作部材と一体に移動可能とされ、前記スライド方向と直交する前記ベース部材の幅方向に前記クリック力発生部を間に挟むように配置される２つの接片部と、前記２つの接片部の前記スライド方向の接触位置を検知するための信号パターンを有する基板と、を備え、前記基板は、前記信号パターンが前記ベース部材に対向し、前記凸部が前記基板で覆われるように、前記ベース部材に固定されており、前記基板が前記ベース部材に固定されることにより、前記基板と前記ベース部材との間に、前記クリック力発生部、及び前記２つの接片部を、前記スライド方向に移動可能に収納する収納空間が形成されており、前記収納空間において、前記クリック力発生部と前記２つの接片部の一方の接片部とが第１の仕切り壁により仕切られ、前記クリック力発生部と他方の接片部とが第２の仕切り壁により仕切られていることを特徴とする。
また、上記目的を達成するために、本発明の他のスライドスイッチは、スライド方向に対して垂直に突出するスライド軸を有する操作部材と、電子機器の外装カバーに取り付けられ、前記スライド軸が挿通される穴部、第１の凹部、前記第１の凹部内に配置される凸部、前記第１の凹部を間に挟むように配置される２つの第２の凹部が形成されるベース部材と、前記スライド軸の中心を通って前記スライド方向に延びる線上に配置され、前記操作部材と一体に移動して、前記凸部を乗り越えることでクリック力を発生する、弾性変形が可能なクリック力発生部と、前記操作部材と一体に移動可能とされ、前記スライド方向と直交する前記ベース部材の幅方向に前記クリック力発生部を間に挟むように配置される２つの接片部と、前記２つの接片部の前記スライド方向の接触位置を検知するための信号パターンを有する基板と、を備え、前記基板は、前記信号パターンが前記ベース部材に対向し、前記第１の凹部と前記２つの第２の凹部とが前記基板で覆われるように、前記ベース部材に固定されており、前記基板が前記ベース部材に固定されることにより、前記基板と前記第１の凹部との間に、前記クリック力発生部が前記スライド方向に移動可能に収納され、前記基板と前記２つの第２の凹部の一方の第２の凹部との間に、前記２つの接片部の一方の接片部が前記スライド方向に移動可能に収納され、前記基板と前記２つの第２の凹部の他方の第２の凹部との間に、前記２つの接片部の他方の接片部が前記スライド方向に移動可能に収納されており、前記第１の凹部と前記２つの第２の凹部との間は、仕切り壁により互いに仕切られていることを特徴とする。
また、上記目的を達成するために、本発明の他の電子機器は、スライドスイッチと、前記スライドスイッチの操作位置によって前記電子機器の動作を切り換える制御を行う制御部と、を備える電子機器であって、前記スライドスイッチは、スライド方向に対して垂直に突出するスライド軸を有する操作部材と、電子機器の外装カバーに取り付けられ、前記スライド軸が挿通される穴部、第１の凹部、前記第１の凹部内に配置される凸部、前記第１の凹部を間に挟むように配置される２つの第２の凹部が形成されるベース部材と、前記スライド軸の中心を通って前記スライド方向に延びる線上に配置され、前記操作部材と一体に移動して、前記凸部を乗り越えることでクリック力を発生する、弾性変形が可能なクリック力発生部と、前記操作部材と一体に移動可能とされ、前記スライド方向と直交する前記ベース部材の幅方向に前記クリック力発生部を間に挟むように配置される２つの接片部と、前記２つの接片部の前記スライド方向の接触位置を検知するための信号パターンを有する基板と、を備え、前記基板は、前記信号パターンが前記ベース部材に対向し、前記第１の凹部と前記２つの第２の凹部とが前記基板で覆われるように、前記ベース部材に固定されており、前記基板が前記ベース部材に固定されることにより、前記基板と前記第１の凹部との間に、前記クリック力発生部が前記スライド方向に移動可能に収納され、前記基板と前記２つの第２の凹部の一方の第２の凹部との間に、前記２つの接片部の一方の接片部が前記スライド方向に移動可能に収納され、前記基板と前記２つの第２の凹部の他方の第２の凹部との間に、前記２つの接片部の他方の接片部が前記スライド方向に移動可能に収納されており、前記第１の凹部と前記２つの第２の凹部との間は、仕切り壁により互いに仕切られていることを特徴とする。
【発明の効果】
【００１１】
本発明によれば、スライドスイッチの部品点数や取付スペースを増加させることなく、操作部材のスライド操作位置の検知精度、及び操作部材の操作性を向上させることができる。
【図面の簡単な説明】
【００１２】
【図１】本発明の電子機器の実施形態の一例であるスライドスイッチを備えるデジタルカメラを背面側から見た図である。
【図２】スライドスイッチの分解斜視図である。
【図３】スライドレバーのスライド軸をベース部材のスライド穴に挿入する前の状態を示す斜視図である。
【図４】（ａ）はスライドレバーが第１の操作位置にあるときの状態を示す図１の部分拡大図、（ｂ）はスライドレバーが第２の操作位置にあるときの状態を示す図１の部分拡大図である。
【図５】（ａ）はスライドレバーが第１の操作位置にあるときのスライドスイッチを図３（ａ）の裏面側から見た図、（ｂ）はスライドレバーが第２の操作位置にあるときのスライドスイッチを図３（ｂ）の裏面側から見た図である。
【図６】（ａ）はスライドレバーが第１の操作位置にあるときのスライドスイッチのスライド方向に沿う断面図、（ｂ）は（ａ）の矢印Ａ方向から見た図である。
【図７】（ａ）はスライドレバーが第２の操作位置にあるときのスライドスイッチのスライド方向に沿う断面図、（ｂ）は（ａ）の矢印Ｂ方向から見た図である。
【図８】図７（ｂ）のＣ−Ｃ線断面図である。
【図９】（ａ）はスライドレバーが第１の操作位置にあるときのスライドスイッチを裏面側から見た斜視図、（ｂ）はスライドレバーが第２の操作位置にあるときのスライドスイッチを裏面側から見た斜視図である。
【図１０】（ａ）はスライドレバーが第１の操作位置にあるときの接片部材の接片部と基板の信号パターンとの関係を示す図、（ｂ）はスライドレバーが第２の操作位置にあるときの接片部材の接片部と基板の信号パターンとの関係を示す図である。
【図１１】スライドスイッチの変形例を示す分解斜視図である。
【発明を実施するための形態】
【００１３】
以下、本発明の実施形態の一例を図面を参照して説明する。
【００１４】
図１は、本発明の電子機器の実施形態の一例であるスライドスイッチを備えるデジタルカメラを背面側から見た図である。
【００１５】
図１に示すように、本実施形態のデジタルカメラの背面側の外装カバー１０には、ＬＣＤ等の表示部１１、操作ダイヤル２０、及びスライドスイッチのスライドレバー１が設けられている。
【００１６】
なお、本実施形態では、スライドレバー１が後述する第１の操作位置にあるときに、デジタルカメラの制御部が操作ダイヤル２０のコマンド操作を受け付ける。そして、スライドレバー１が後述する第２の操作位置にあるときに、デジタルカメラの制御部は操作ダイヤル２０のコマンド操作を受け付けないように制御する。
【００１７】
すなわち、デジタルカメラの制御部は、スライドレバー１の操作位置によって、デジタルカメラの動作を切り換える制御を行う。ここで、スライドレバー１は、本発明の操作部材の一例に相当する。
【００１８】
図２はスライドスイッチの分解斜視図、図３はスライドレバー１のスライド軸１ａをベース部材４のガイド穴４ｄに挿入する前の状態を示す斜視図である。
【００１９】
スライドスイッチは、図２に示すように、スライドレバー１、クリック部材２（クリック力発生部材）、接片部材３、ベース部材４、及び基板５を備える。
【００２０】
スライドレバー１は、図３に示すように、裏面側に突設されたスライド軸１ａが外装カバー１０に取り付けられたベース部材４のガイド穴４ｄにデジタルカメラの外側から挿入される。
【００２１】
そして、かかる挿入後、スライド軸１ａの先端にクリック部材２及び接片部材３がビス６等を介して固定される。
【００２２】
これにより、スライドレバー１は、スライド軸１ａがクリック部材２及び接片部材３と一体となってベース部材４のガイド穴４ｄに沿って図１の左右方向に移動可能にガイドされる。
【００２３】
図４（ａ）はスライドレバー１が第１の操作位置にあるときの状態を示す図１の部分拡大図、図４（ｂ）はスライドレバー１が第２の操作位置にあるときの状態を示す図１の部分拡大図である。
【００２４】
図４に示すように、スライドレバー１は、図４（ａ）に示す第１の操作位置と図４（ｂ）に示す第２の操作位置との間でスライド操作が可能になっている。
【００２５】
図５（ａ）はスライドレバー１が第１の操作位置にあるときのスライドスイッチを図３（ａ）の裏面側から見た図、図５（ｂ）はスライドレバー１が第２の操作位置にあるときのスライドスイッチを図３（ｂ）の裏面側から見た図である。なお、図５（ａ）及び図５（ｂ）においては、説明の便宜上、外装カバー１０、クリック部材２、接片部材３及び基板５の図示は省略する。
【００２６】
図５に示すように、ベース部材４の裏面側には、ガイド穴４ｄに対して、スライドレバー１の第１の操作位置から第２の操作位置へのスライド方向（図５（ａ）の矢印方向）に離れた位置に凹部４ａ，４ｂ，４ｃが形成されている。
【００２７】
凹部４ａ，４ｂ，４ｃは、スライドレバー１のスライド方向と直交するベース部材４の幅方向に並設され、中央部に凹部４ｃが配置されて、凹部４ａ，４ｂが凹部４ｃを間に挟むように配置される。
【００２８】
また、凹部４ａ，４ｂ，４ｃのベース部材４の板厚方向の開口部分は、ベース部材４に固定された基板５により塞がれ、凹部４ａ，４ｂ，４ｃのガイド穴４ｄを向く部分は開口されている。
【００２９】
凹部４ｃには、スライドレバー１のスライド操作時にクリック部材２のクリック部２ａ（クリック力発生部）が弾性変形により乗り越えてクリック力を発生させる凸部４ｅが形成されている。
【００３０】
図６（ａ）はスライドレバー１が第１の操作位置にあるときのスライドスイッチのスライド方向に沿う断面図、図６（ｂ）は図６（ａ）の矢印Ａ方向から見た図である。図７（ａ）はスライドレバー１が第２の操作位置にあるときのスライドスイッチのスライド方向に沿う断面図、図７（ｂ）は図７（ａ）の矢印Ｂ方向から見た図である。
【００３１】
スライドレバー１を図６に示す第１の操作位置から図７に示す第２の操作位置に向けてスライド操作すると、クリック部材２のクリック部２ａがベース部材４の凸部４ｅを乗り越えて凹部４ｃに保持される。
【００３２】
クリック部２ａがベース部材４の凸部４ｅを乗り越える際に、クリック部２ａが弾性変形することでスライドレバー１に対してスライド方向と逆向きの反力が伝達され、この反力がクリック力となってユーザにクリック感が付与される。
【００３３】
スライドレバー１を図７に示す第２の操作位置から図６に示す第１の操作位置に向けてスライド操作した場合も、同様にして、ユーザにクリック感が付与される。
【００３４】
ここで、本実施形態では、クリック部材２のクリック部２ａを、スライドレバー１のスライド軸１ａの略中心を通ってスライド方向に延びる線上に配置しており、これにより、ユーザに対してスライド方向にのみクリック力を伝える事が可能となる。なお、クリック部材２のクリック部２ａとベース部材４の凸部４ｅとの当接部分には、摺動抵抗の軽減や摩耗の低減を目的として、グリースなどの潤滑剤が塗布される。
【００３５】
図８は図７（ｂ）のＣ−Ｃ線断面図、図９（ａ）はスライドレバー１が第１の操作位置にあるときのスライドスイッチを裏面側から見た斜視図、図９（ｂ）はスライドレバー１が第２の操作位置にあるときのスライドスイッチを裏面側から見た斜視図である。なお、図９（ａ）及び図９（ｂ）では、基板５の図示は省略している。
【００３６】
図８及び図９に示すように、スライドレバー１の操作位置に関わらず、クリック部材２のクリック部２ａは、ベース部材４の凹部４ｃに配置され、接片部材３の接片部３ａ，３ｂは、ベース部材４の凹部４ａ，４ｂにそれぞれ配置される。
【００３７】
これにより、ベース部材４の凹部４ａ，４ｂ，４ｃと基板５との間に、クリック部２ａ、及び２つの接片部３ａ，３ｂをスライド方向に移動可能に収納する収納空間を形成している。
【００３８】
そして、前記収納空間において、クリック部２ａと接片部材３の一方の接片部３ａとを凹部４ｃと凹部４ａとの間の第１の仕切り壁により仕切っている。また、クリック部２ａと接片部材３の他方の接片部３ｂとを凹部４ｃと凹部４ｂとの間の第２の仕切り壁により仕切っている。
【００３９】
図１０（ａ）は、スライドレバー１が第１の操作位置にあるときの接片部材３の接片部３ａ，３ｂと基板５の信号パターン５ａ，５ｂとの関係を示す図である。図１０（ｂ）は、スライドレバー１が第２の操作位置にあるときの接片部材３の接片部３ａ，３ｂと基板５の信号パターン５ａ，５ｂとの関係を示す図である。
【００４０】
図１０に示すように、基板５には、接片部３ａ，３ｂのスライド方向の接触位置を検知するための信号パターン５ａと信号パターン５ｂとが形成され、信号パターン５ａおよび信号パターン５ｂは、それぞれカメラの不図示の制御部に電気的に接続される。
【００４１】
そして、図１０（ａ）示すスライドレバー１の第１の操作位置では、接片部材３の接片部３ａ及び接片部３ｂは、共に信号パターン５ｂに接触する。
【００４２】
このとき、接片部材３を通して信号パターン５ａと信号パターン５ｂとは電気的に導通していない状態になり、制御部は、スライドレバー１が第１の操作位置にあると判断して、操作ダイヤル２０のコマンド操作を受け付けるように制御する。
【００４３】
また、スライドレバー１を第１の操作位置から図１０（ｂ）に示す第２の操作位置にスライド操作すると、接片部材３の接片部３ａは信号パターン５ａに接触し、接片部３ｂは信号パターン５ｂと接触する。
【００４４】
このとき、接片部材３を通して信号パターン５ａと信号パターン５ｂとは電気的に導通した状態になり、制御部は、スライドレバー１が第２の操作位置にあると判断して、操作ダイヤル２０のコマンド操作を受け付けないように制御する。
【００４５】
これにより、ユーザが不用意に操作ダイヤル２０を回転させてしまい、カメラの設定が変更されるのを防止することができる。
【００４６】
以上説明したように、本実施形態では、スライドレバー１のスライド軸１ａの略中心を通ってスライド方向に延びる線上にクリック部材２のクリック部２ａを配置している。
【００４７】
これにより、スライド操作時のクリック力の反力によりスライドレバー１が回転方向に付勢されることなく、ユーザに対してスライド方向にのみクリック力を伝える事ができ、スライドレバー１の操作性が向上する。
【００４８】
また、本実施形態では、クリック部２ａと接片部材３の一方の接片部３ａとが凹部４ｃと凹部４ａとの間の第１の仕切り壁により仕切られ、クリック部２ａと接片部材３の他方の接片部３ｂとが凹部４ｃと凹部４ｂとの間の第２の仕切り壁により仕切られる。
【００４９】
従って、スライドレバー１のスライド操作による凸部４ｅとクリック部２ａとの摺動を繰り返しても、摩耗粉や潤滑剤が接片部３ａ，３ｂ側に飛散することがない。これにより、基板５の信号パターン５ａ，５ｂと接片部３ａ，３ｂとの接触不良を回避することができ、スライドレバー１のスライド操作位置の検知精度が向上する。
【００５０】
また、本実施形態では、スイッチレバーやケース、半田付け端子等をユニット化したスイッチユニットが不要なため、スライドスイッチの部品点数や取付スペースが増加するのを回避することができる。
【００５１】
なお、本発明の構成は、上記実施形態に例示したものに限定されるものではなく、材質、形状、寸法、形態、数、配置箇所等は、本発明の要旨を逸脱しない範囲において適宜変更可能である。
【００５２】
例えば、上記実施形態では、クリック部２ａ及び接片部３ａ，３ｂを別々の部材に設けた場合を例示したが、これに限定されず、クリック部２ａ及び接片部３ａ，３ｂを同一の部材に設けてもよい。
【００５３】
例えば図１１に示すように、クリック部２ａを有するクリック部材２に接片部３ａ，３ｂを一体に設けてもよい。
【符号の説明】
【００５４】
１  スライドレバー
２  クリック部材
２ａ  クリック部
３  接片部材
３ａ，３ｂ  接片部
４  ベース部材
４ａ，４ｂ，４ｂ  凹部
５  基板
５ａ，５ｂ  信号パターン
２０  操作ダイヤル
【図１】
0005814676.tif 000002
【図２】
0005814676.tif 000003
【図３】
0005814676.tif 000004
【図４】
0005814676.tif 000005
【図５】
0005814676.tif 000006
【図６】
0005814676.tif 000007
【図７】
0005814676.tif 000008
【図８】
0005814676.tif 000009
【図９】
0005814676.tif 000010
【図１０】
0005814676.tif 000011
【図１１】
0005814676.tif 000012